(57)【要約】【課題】  ヒンジ部が断裂した場合であっても、ノイズ吸収装置としての機能を極力損なわないようにするノイズ吸収装置を提供すること。【解決手段】  このノイズ吸収装置ＮＦ１は、第１のケース部材１１と、第２のケース部材３１と、ケーブルが挿通されると共に第１のケース部材１１及び第２のケース部材３１により画成される空間に収容されたコア１とを備え、第１のケース部材１１及び第２のケース部材３１それぞれは、コア１の長手方向に延びる一対の第２の側壁１３，３３及び第３の側壁１４，３４を有しており、第１のケース部材１１と第２のケース部材３１とは、第２の側壁１３，３３側に設けられたヒンジ部４５と第３の側壁１４，３４側に設けられた係止部４７とにより連結され、第２の側壁１３，３３側には更に第２の係止部として係合片５０及び凸部５１を備える。【選択図】  図２
2007273715.tif 000002
【特許請求の範囲】
【請求項１】
第１のケース部材と、第２のケース部材と、ケーブルが挿通されると共に前記第１のケース部材及び前記第２のケース部材により画成される空間に収容されたコアとを備えるノイズ吸収装置であって、
前記第１のケース部材及び前記第２のケース部材それぞれは、前記コアの長手方向に延びる一対の側壁を有しており、
前記第１のケース部材と前記第２のケース部材とは、前記一対の側壁のうち一方の側壁側に設けられたヒンジ部と前記一対の側壁のうち他方の側壁側に設けられた第１の係止部とにより連結され、
前記一方の側壁には更に第２の係止部を備える、ノイズ吸収装置。
【請求項２】
前記第１のケース部材と前記第２のケース部材とを互いに離隔するように付勢する付勢手段を備える、請求項１に記載のノイズ吸収装置。
【請求項３】
前記第１のケース部材及び前記第２のケース部材の少なくとも一方に、当該ノイズ吸収装置を固定する固定手段を備える、請求項１又は２に記載のノイズ吸収装置。
【発明の詳細な説明】
【技術分野】
【０００１】
本発明は、ノイズ吸収装置に関する。
【背景技術】
【０００２】
電子機器等の電線を伝搬する雑音電流を吸収するノイズ吸収装置として、フェライトコアをその内部に収容する保持ケースを備えるものがある（例えば、下記特許文献１参照）。
【特許文献１】特開２０００−９１１３６号公報
【発明の開示】
【発明が解決しようとする課題】
【０００３】
上記特許文献１に記載されているノイズ吸収装置の保持ケースは一対のケース部を有しており、その一対のケース部はヒンジ部を介して開閉自在に連結されている。ケース部が樹脂成形品によって構成される場合、このヒンジ部は、樹脂厚みを薄くした部分によって構成される場合がある。
【０００４】
このように樹脂厚みを薄くしたヒンジ部を設けた場合、保持ケースは閉じやすくなる。しかしながら、保持ケースを何度も開閉する場合には、ヒンジ部がその繰り返しにより劣化し、閉じた状態で破損しなくても、その状態で振動及び衝撃が加わり続けると、ヒンジ部が完全に破断（断裂）し、保持ケースを閉じた状態が保持できなくなる可能性がある。また、保持ケースは通常、溶かした樹脂材料を金型に流し込んで形成・製造されるが、樹脂の流れ込みが不均一の場合、欠陥が生じることがある。特にヒンジ部のように薄い箇所は欠陥が生じた場合に亀裂となる場合もあり、閉じた状態で破損しなくても、その状態で振動及び衝撃が加わり続けると、ヒンジ部が完全に破断（断裂）し、保持ケースを閉じた状態が保持できなくなる可能性がある。
【０００５】
そこで本発明では、フェライトコアをその内部に収容するケースを繰り返し開閉し、ヒンジ部が断裂した場合であっても、ノイズ吸収装置としての機能を極力損なわないようにするノイズ吸収装置を提供することを目的とする。
【課題を解決するための手段】
【０００６】
本発明に係るノイズ吸収装置は、第１のケース部材と、第２のケース部材と、ケーブルが挿通されると共に第１のケース部材及び第２のケース部材により画成される空間に収容されたコアとを備えるノイズ吸収装置であって、第１のケース部材及び第２のケース部材それぞれは、コアの長手方向に延びる一対の側壁を有しており、第１のケース部材と第２のケース部材とは、一対の側壁のうち一方の側壁側に設けられたヒンジ部と一対の側壁のうち他方の側壁側に設けられた第１の係止部とにより連結され、一方の側壁には更に第２の係止部を備える。
【０００７】
本発明に係るノイズ吸収装置によれば、ヒンジ部が形成されている一方の側壁に、更に第２の係止部を備えているので、例えばヒンジ部が断裂した場合であっても第２の係止部により一方の側壁側が係止され、内蔵しているコアを保持することができる。
【０００８】
また本発明のノイズ吸収装置では、第１のケース部材と第２のケース部材とを互いに離隔するように付勢する付勢手段を備えることも好ましい。第１のケース部材と第２のケース部材とを互いに引き離す方向の力を受けるので、第１の係止部及び第２の係止部による連結がより強固になる。
【０００９】
また本発明のノイズ吸収装置では、第１のケース部材及び第２のケース部材の少なくとも一方に、当該ノイズ吸収装置を固定する固定手段を備えることも好ましい。固定手段を設けているので、ノイズ吸収装置を壁面や躯体といった保持面に保持できる。
【発明の効果】
【００１０】
本発明によれば、フェライトコアをその内部に収容するケースを繰り返し開閉し、ヒンジ部が断裂した場合であっても、ノイズ吸収装置としての機能を極力損なわないようにできる。
【発明を実施するための最良の形態】
【００１１】
本発明の知見は、例示のみのために示された添付図面を参照して以下の詳細な記述を考慮することによって容易に理解することができる。引き続いて、添付図面を参照しながら本発明の実施の形態を説明する。可能な場合には、同一の部分には同一の符号を付して、重複する説明を省略する。
【００１２】
図１及び図２を参照しながら、実施形態に係るノイズ吸収装置ＮＦ１の構成を説明する。図１及び図２は、本実施形態に係るノイズ吸収装置ＮＦ１を示す斜視図である。
【００１３】
ノイズ吸収装置ＮＦ１は、信号ケーブルが挿通されるコア１と、開閉可能なケース１０とを備える。ケース１０には、信号ケーブルが挿通される開口部１０ａが形成されている。
【００１４】
コア１は、長円環状のスリーブコアであって、フェライト磁性材料製である。コア１は、後述する第１のケース部材１１のコア係止部（図示せず）により、第１のケース部材１１のコア収容部（図示せず）に保持されて、コア収容部（図示せず）に収容されている。コア１は、第１のケース部材１１と第２のケース部材３１とが閉じられた際に、その一部が第２のケース部材３１のコア収容部（図示せず）に収容された状態となる。
【００１５】
コア１には、信号ケーブルが挿通されるケーブル挿通路３が形成されている。ケーブル挿通路３は、コア１の長手方向に垂直な断面形状において長軸の長さが挿入される信号ケーブルの外径の２倍以上であると共に短軸の長さが挿入される信号ケーブルの外径と同等以上で且つ２倍未満である。本実施形態では、ケーブル挿通路３の長軸の長さは信号ケーブルの外径の２倍程度に設定され、短軸の長さは信号ケーブルの外径よりも若干大きい程度に設定されている。これにより、ケーブル挿通路３には、信号ケーブルの折り返された複数の部分が当該信号ケーブルの径方向に沿って並んで挿通されることとなる。
【００１６】
ケース１０は、第１のケース部材１１と第２のケース部材３１とにより構成され、合成樹脂製である。第１のケース部材１１及び第２のケース部３１は、コア１を収容する空間を画成する。以下、第１及び第２のケース部材１１，３１については、図１〜図２に示すように、ケース１０及びコア１の長手方向をＸ軸方向、コア１の短軸に平行な方向をＹ軸方向、Ｘ軸方向及びＹ軸方向に直交するコア１の長軸に平行な方向をＺ軸方向と定義して説明する。
【００１７】
第１のケース部材１１は、一面が開口され有底状の部材であり、第１〜第５の側壁１２〜１６を有する。第１の側壁１２は、第１のケース部材１１の底として機能する。第２及び第３の側壁１３，１４は、第１の側壁１２のＹ軸方向の両端に位置し、Ｙ軸方向に対向すると共にＸ軸方向及びＺ軸方向に伸びている。第４及び第５の側壁１５，１６は、第１の側壁１２のＸ軸方向の両端に位置し、Ｘ軸方向に対向すると共にＹ軸方向及びＺ軸方向に伸びている。第１のケース部材１１の開口縁は、Ｚ軸に交差する方向（例えば、Ｚ軸に直交するＹ軸方向）に伸びる平面内に位置している。
【００１８】
第１の側壁１２には、付勢部１２ａ（付勢手段）が一対設けられている。付勢部１２ａは、第１の側壁１２の一部が略Ｕ字状に切り込まれた形状をなしていて、第１のケース部材１１の内側に折り曲げられた形状を成している。付勢部１２ａは、第１の側壁１２と一体的に樹脂成形されており、コア１を第２のケース部材３１側に付勢する役割を果たしている。従って、第１のケース部材１１と第２のケース部材３１とは互いに離隔するように付勢される。尚、本実施形態では、第１の側壁１２と一体的に付勢部１２ａを設けたが、第１の側壁１２とは別に、例えばバネを内蔵する等して付勢部を設けてもよい。
【００１９】
第２のケース部材３１は、一面が開口され有底状の部材であり、第１〜第５の側壁３２〜３６を有する。第１の側壁３２は、第２のケース部材３１の底として機能する。第２及び第３の側壁３３，３４は、第１の側壁３２のＹ軸方向の両端に位置し、Ｙ軸方向に対向すると共にＸ軸方向及びＺ軸方向に伸びている。第４及び第５の側壁３５，３６は、第１の側壁３２のＸ軸方向の両端に位置し、Ｘ軸方向に対向すると共にＹ軸方向及びＺ軸方向に伸びている。第２のケース部材３１の開口縁は、Ｚ軸に交差する方向（例えば、Ｚ軸に直交するＹ軸方向）に伸びる平面内に位置している。
【００２０】
第１のケース部材１１の第４及び第５の側壁１５，１６と、第２のケース部材３１の第４及び第５の側壁３５，３６とには、窪み２２，４２がそれぞれ形成されている。各窪み２２，４２は、第１のケース部材１１と第２のケース部材３１とが閉じられた際に、開口部１０ａを構成する。開口部１０ａは、ケーブル挿通路３の断面形状に対応して長軸及び短軸を有する形状である。
【００２１】
第１のケース部材１１と第２のケース部材３１とは、第２の側壁１３，３３側に設けられたヒンジ部４５と第３の側壁１４，３４側に設けられた係止部４７（第１の係止部）とにより連結される。係止部４７は、第２のケース部材３１の第３の側壁３４に形成された一対の孔部４８と、第１のケース部材１１の第３の側壁１４から伸びるように形成された一対の差し込み片４９とを含んでいる。各差し込み片４９が対応する孔部４８に差し込まれて当該孔部４８と係合することにより、第１のケース部材１１と第２のケース部材３１とが係止されることとなる。
【００２２】
第１のケース部材１１と第２のケース部材３１とは、更に第２の係止部によって連結されている。第２の係止部は、第１のケース部材１１の第２の側壁１３から伸びるように形成された係合片５０と、第２のケース部材３１の第２の側壁３３に形成された凸部５１とを含んでいる。
【００２３】
係合片５０及び凸部５１について図３を参照しながらより詳細に説明する。図３の（ａ）は、係合片５０及び凸部５１近傍の拡大斜視図である。図３の（ｂ）は、係合片５０と凸部５１とが係止された状態の断面図である。
【００２４】
係合片５０は、第１のケース部材１１の第２の側壁１３の端面から、第２の側壁１３が第１の側壁１２から伸びる方向に沿って伸びている。係合片５０には孔部５０ａが形成されている。従って、係合片５０の外周は枠状に形成されている。
【００２５】
凸部５１は、第２のケース部材３１の第２の側壁３３の端面に沿って形成されている。従って、凸部５１の周囲には凹部５２が形成されている。凹部５２は、係合片５０の枠状の外周部が配置可能なように形成されている。
【００２６】
第１のケース部材１１と第２のケース部材３１とを閉じると、係合片５０と凸部５１とは互いに係合して図３の（ｂ）に示すような状態となる。
【００２７】
図３の（ｂ）に示すように、係合片５０の孔部５０ａの中に凸部５１が入り込んでいる。凸部５１の先端には鉤状部５１ａが形成されている。また、係合片５０においても孔部５０ａ側に突起部５０ｂが形成されている。鉤状部５１ａと突起部５０ｂとが互いにかみ合うので、係合片５０と凸部５１とはより強固に嵌合する。
【００２８】
本実施形態に示した係合片５０及び凸部５１の形態に限らず、ヒンジ部４５が形成されている近傍において第１のケース部材１１と第２のケース部材３１とが嵌合する手段を設けることができる。例えば、係合片５０及び凸部５１を複数箇所に設けてもよい。また、第１のケース部材１１と第２のケース部材３１との外側において係合片５０と凸部５１とが嵌合するように形成してもよい。
【００２９】
尚、本実施形態においては図に明示していないが、第１のケース部材１１及び第２のケース部材３１の少なくとも一方に、ノイズ吸収装置ＮＦ１を壁面や躯体に取り付ける固定手段を設けてもよい。固定手段としては、公知のクリップ構造が用いられる。公知のクリップ構造の一例としては、壁面や躯体に設けられた穴に挿入する柱状部材と、その柱状部材の先端側に逆止部材が設けられた構造がある。この場合、逆止部材の一端は柱状部材の先端に取り付けられており、逆止部材の他端は柱状部材から離れた位置となるように錨状に取り付けられている。
【００３０】
本実施形態によれば、ヒンジ部４５が形成されている第２の側壁１３，３３に、第２の係止部として係合片５０及び凸部５１を備えているので、例えばヒンジ部４５が断裂した場合であっても第２の係止部により第２の側壁１３，３３側が係止され、内蔵しているフェライトコア１を保持することができる。
【図面の簡単な説明】
【００３１】
【図１】本実施形態に係るノイズ吸収装置を示す斜視図である。
【図２】本実施形態に係るノイズ吸収装置を示す斜視図である。
【図３】ノイズ吸収装置の第２の係止部を説明するための図である。
【符号の説明】
【００３２】
１…コア、３…ケーブル挿通路、１０…ケース、１０ａ…開口部、１１…第１のケース部材、１２〜１６…第１〜第５の側壁、３１…第２のケース部材、３２〜３６…第１〜第５の側壁、４５…ヒンジ部、４７…係止部、４８…孔部、４９…差し込み片、ＮＦ１…ノイズ吸収装置。
【図１】
2007273715.tif 000003
【図２】
2007273715.tif 000004
【図３】
2007273715.tif 000005